(57)【要約】【課題】津波の襲来時に、空調ダクトを閉塞する。【解決手段】建物２に設けられた空調ダクト３に設置し、津波が襲来した時に空調ダクト３を閉塞する管路止水装置１である。空調ダクト３の内部に配置する観音開き式の上下２枚の扉体６，７を、常時は空調ダクト３の内部を開放した状態に保持装置１７で保持する。上下２枚の扉体６，７の開閉動作をチェーン１２により連動して行わせる。浸水検知装置１９は空調ダクト３内への浸水を感知した時には、上下２枚の扉体６，７の開放した状態の保持を解除させる。上下２枚の扉体６，７は、空調ダクト３の内部を閉塞したときに、空調ダクト３内への浸水による水圧が作用する方向に水平移動が可能なように構成している。【効果】確実に空調ダクトを閉塞して、室内への海水の浸入を防止できる。【選択図】図２
2015218952.tif 000002
【特許請求の範囲】
【請求項１】
固定構造物に設けられた空調ダクトに設置し、津波が襲来した時に当該空調ダクトを閉塞する管路止水装置であって、
前記空調ダクトの内部に配置する観音開き式の上下２枚の扉体と、
前記上下２枚の扉体を、常時は前記空調ダクトの内部を開放した状態に保持する保持装置と、
前記上下２枚の扉体の開閉動作を連動して行わせるチェーン或いはベルトと、
前記空調ダクト内への浸水を感知し、浸水を感知した時には、前記上下２枚の扉体の前記開放した状態の保持を解除させる浸水検知装置と、
を備え、
前記上下２枚の扉体は、前記空調ダクトの内部を閉塞したときに、空調ダクト内への浸水による水圧が作用する方向に水平移動が可能なように構成したことを特徴とする管路止水装置。
【請求項２】
前記浸水検知装置は、前記空調ダクト内への浸水により浮力を受けたフロートがこの浮力を前記保持装置に伝達して開放状態の保持を解除する構成であることを特徴とする請求項１に記載の管路止水装置。
【請求項３】
前記浸水検知装置は、前記空調ダクト内への浸水により電極間に水が浸入して電気容量または磁界が変化したことを検知し、或いは、前記空調ダクト内への浸水面に照射する超音波の反射により浸水の有無を検知し、前記保持装置に電気信号を送って開放状態の保持を解除する構成であることを特徴とする請求項１に記載の管路止水装置。
【請求項４】
前記保持装置により開放状態に保持した前記上下２枚の扉体の前記保持を解除した後の前記上下２枚の扉体の駆動は、上段扉体或いは下段扉体の水平軸に設けたカウンタウエイトによって行うことを特徴とする請求項１〜３の何れかに記載の管路止水装置。
【請求項５】
前記上段扉体或いは下段扉体の可動部にダンパーを付加したことを特徴とする請求項１〜４の何れかに記載の管路止水装置。
【請求項６】
前記上下２枚の扉体の開閉動作を連動して行わせるチェーン或いはベルトをモータにより駆動する構成となすとともに、前記保持装置として、前記モータの回転を抑制するブレーキを採用し、
前記浸水検知装置を用いた前記空調ダクト内への浸水の検知により、前記ブレーキを解除して前記モータを駆動することで前記空調ダクトの内部を閉塞することを特徴とする請求項１〜３の何れかに記載の管路止水装置。
【請求項７】
前記チェーンは、テンショナー或いはターンバックルにより張力の調整が可能なようになされていることを特徴とする請求項１〜６の何れかに記載の管路止水装置。
【請求項８】
前記ベルトは、テンショナーにより張力の調整が可能なようになされていることを特徴とする請求項１〜６の何れかに記載の管路止水装置。
【発明の詳細な説明】
【技術分野】
【０００１】
本発明は、例えば津波が襲来した時に、固定構造物に設けられた空調ダクトを閉塞して、部屋の内部に海水が浸入することを防止する管路止水装置に関するものである。
【背景技術】
【０００２】
固定構造物（以下、建物という。）に設けられた各部屋の空調を行うため、外気導入口から取り込んだ外気を、導入ダクトを介して各部屋に供給する一方、各部屋内の排気は排気ダクトを介して排気口から排出する空調装置が開示されている（特許文献１参照。）。
【０００３】
前記空調装置を備えた建物が鉄筋コンクリート造り等の頑丈な場合、津波の襲来時に当該建物が津波によって流されなくても、建物に設けられた外気導入口や排気口から導入ダクトや排気ダクトを介して各部屋に海水が浸入し、被害が大きくなる。
【先行技術文献】
【特許文献】
【０００４】
【特許文献１】特開２００４−１９９６６号公報
【発明の概要】
【発明が解決しようとする課題】
【０００５】
本発明が解決しようとする問題点は、津波が襲来した時に、建物が頑丈で津波によって流されなくても、導入ダクトや排気ダクトを介して部屋に海水が浸入して被害が大きくなるという点である。
【課題を解決するための手段】
【０００６】
本発明は、上記問題を解決するために、津波が襲来した時に、導入ダクトや排気ダクト等の空調ダクトを閉塞して、部屋に海水が浸入しないようにすることを目的としてなされたものである。
【０００７】
本発明は、
建物に設けられた空調ダクトに設置し、津波が襲来した時に当該空調ダクトを閉塞する管路止水装置であって、
前記空調ダクトの内部に配置する観音開き式の上下２枚の扉体と、
前記上下２枚の扉体を、常時は前記空調ダクトの内部を開放した状態に保持する保持装置と、
前記上下２枚の扉体の開閉動作を連動して行わせるチェーン或いはベルトと、
前記空調ダクト内への浸水を感知し、浸水を感知した時には、前記上下２枚の扉体の前記開放した状態の保持を解除させる浸水検知装置と、
を備え、
前記上下２枚の扉体は、前記空調ダクトの内部を閉塞したときに、空調ダクト内への浸水による水圧が作用する方向に水平移動が可能なように構成したことを最も主要な特徴としている。
【０００８】
上記本発明では、津波の襲来により空調ダクトの内部に海水が浸入した時には、当該海水の浸入を浸水検知装置が感知して保持装置による上下２枚の扉体の保持を解除する。保持を解除された上下２枚の扉体は連動して閉じて空調ダクトの内部を閉塞する。閉塞した上下２枚の扉体は、水圧により水圧が作用する方向に水平移動し、水密ゴムに押し当てられる。
【０００９】
本発明において、上下２枚の扉体が閉じる動作は、上段扉体の重量、上段扉体或いは下段扉体の回転軸に設けたカウンタウエイト、モータ、或いはこれらの併用により行われる。
【００１０】
本発明において、上段扉体或いは下段扉体の可動部にダンパーを付加した場合は、扉体が閉じる際の衝撃を抑制することができる。
【００１１】
本発明において、上下２枚の扉体の開閉動作を連動して行わせるチェーン或いはベルトをモータにより駆動する構成となす場合は、前記保持装置として、モータの回転を抑制するブレーキを採用することが望ましい。
【発明の効果】
【００１２】
本発明では、津波の襲来時に空調ダクト内に浸入してきた海水の検知により保持を解除された上下２枚の扉体が連動して閉じて空調ダクトの内部を閉塞した後、水圧の作用方向に水平移動して水密ゴムに押し当てられる。従って、空調ダクトの内部を閉塞した際の水密性が向上して建物の部屋への海水の浸入を確実に防止することができ、重要機器室の浸水対策設備としての役割を果たすことができる。
【図面の簡単な説明】
【００１３】
【図１】本発明の管路止水装置の設置位置の一例を説明する図である。
【図２】本発明の管路止水装置に水圧が作用した時の扉体の動きを説明する図で、（ａ）は上段扉体、（ｂ）は下段扉体である。
【図３】上下２枚の扉体の開閉動作を連動して行わせるチェーン機構と、上下２枚の扉体を開放状態に保持する保持装置の設置例を示した図で、（ａ）は上下２枚の扉体の開放状態を示した図、（ｂ）は閉じた状態を示した図である。
【図４】本発明の管路止水装置における扉体の駆動態様の他の例を示した図で、（ａ）は下段扉体の水平軸に設けたカウンタウエイトにより駆動を補助する場合、（ｂ）はモータにより駆動する場合を示した図である。
【図５】上下２枚の扉体を開放状態に保持する保持装置を空調ダクトの外部に設置した場合の説明図で、（ａ）は下段扉体を駆動するカウンタウエイトを保持する場合、（ｂ）は上段扉体を駆動するカウンタウエイトを保持する場合である。
【図６】上下２枚の扉体の開閉動作を連動して行わせるチェーンの張力調整機構の一例を示した図で、（ａ）はターンバックルにより張力を調整する場合、（ｂ）はテンショナーにより張力を調整する場合である。
【図７】上下２枚の扉体が閉じる際の衝撃を抑制する機構の一例を示した図で、（ａ）は扉体が開いた状態の場合、（ｂ）は扉体が閉じた状態の場合である。
【発明を実施するための形態】
【００１４】
本発明は、津波の襲来による海水の浸入により空調ダクトを閉塞して、建物内の部屋に海水が浸入することを防止することを目的としている。そして、その目的を、空調ダクト内への海水の浸入を検知してその保持を解除した上下２枚の扉体を連動して閉じて空調ダクトの内部を閉塞した後、閉塞した扉体を水圧が作用する方向に水平移動させて水密ゴムに押し当てることで実現した。
【実施例】
【００１５】
以下、本発明を実施するための形態を、図１〜図７を用いて詳細に説明する。
図１〜図３は本発明の管路止水装置の第１の例を説明する図であり、図１は設置位置を、図２は水圧作用時の扉体の動きを、図３は上下２枚の扉体の開閉動作を連動して行わせるチェーン機構と、上下２枚の扉体を開放状態に保持する保持装置の設置例を示す。
【００１６】
本発明の管路止水装置１は、津波の襲来時に、建物２が津波によって流されなくても、建物２に設置された外気導入口から空調ダクト３を介して、例えば重要機器室４に海水が浸入することを防止するために、空調ダクト３に取付けるものである。
【００１７】
本発明の管路止水装置１は、重要機器室４に海水が浸入しないように空調ダクト３に取付けるものであれば、その設置位置は限定されない。例えば、図１の紙面左側に示した例では、重要機器室４と隣接する一般室５内の重要機器室４側の壁面近傍位置に設置している。また、図１の紙面右側に示した例では、重要機器室４の内部に突出した端部位置に設置している。
【００１８】
６は空調ダクト３の内部の高さ方向の上部側に配置される上段扉体であり、上端部の両側に突出状に設けた水平軸６ａを支点として、水平状態から垂下状態への回動が自在に行えるように、空調ダクト３の内部に支持されている。
【００１９】
７は空調ダクト３の内部の高さ方向の下部側に配置される下段扉体であり、下端部の両側に突出状に設けた水平軸７ａを支点として、水平状態から鉛直方向に起立する状態への回動が自在に行えるように、空調ダクト３の内部に支持されている。
【００２０】
すなわち、これら上段扉体６と下段扉体７は、空調ダクト３の内部が開放された、それぞれが水平の状態から（図２（ａ）（ｂ）の紙面左側の実線の状態。）、上段扉体６が垂下状態、下段扉体７が鉛直方向に起立する状態となって空調ダクト３の内部を閉塞する（観音開き式）ようになっている（図２（ａ）（ｂ）の紙面左側の想像線の状態）。
【００２１】
そして、前記上段扉体６と下段扉体７は、空調ダクト３の内部を閉塞したときに、空調ダクト３の内部に浸水した海水の水圧が作用する方向に水平移動するように構成している（図２（ａ）（ｂ）の紙面右側参照）。
【００２２】
例えば上段扉体６は、開放状態における下側に、上段扉体６に対して接離移動が自在なようにスキンプレート８を配置している。このような構成により、上段扉体６が閉じて垂下状態となった場合には、空調ダクト３の内部に浸水した海水の水圧によりスキンプレート８が水圧の作用する方向に水平移動する。
【００２３】
また、下段扉体７は、水平軸７ａの軸受部９が、下段扉体７が開放状態の場合に下方に延びる長孔９ａに形成している。このような構成により、下段扉体７が鉛直方向に起立する状態となった場合には、空調ダクト３の内部に浸水した海水の水圧により下段扉体７が水圧の作用する方向に水平移動する。
【００２４】
１０は、上段扉体６が垂下状態、下段扉体７が鉛直方向に起立する状態となって空調ダクト３の内部を閉塞する際に、スキンプレート８と、下段扉体７の背面側が当接する位置の空調ダクト３内の、前記上段扉体６と下段扉体７の下流側に配置された戸当りである。
【００２５】
この戸当たり１０は、中央部の高さ方向上下に通気用の開口１０ａ，１０ｂを有し、スキンプレート８と、下段扉体７の背面側が当接する側に水密ゴム１１を設置している。
【００２６】
１２は、上段扉体６及び下段扉体７の開閉動作を連動して行わせる例えばチェーンである。このチェーン１２は、上段扉体６及び下段扉体７の水平軸６ａ，７ａと同じ軸芯位置、及び下段扉体７の水平軸７ａの上流側及び下流側に各１個、計４個のスプロケット１３ａ〜１３ｄに係合させることで、上段扉体６及び下段扉体７の開放状態（図３（ａ））から閉塞状態（図３（ｂ））への動作を連動して行えるようにしている。なお、これら上段扉体６と下段扉体７の開閉動作を連動して行わせる機構は、空調ダクト３の外部に設けられている。
【００２７】
この上段扉体６及び下段扉体７が開放状態から閉じる場合の連動は、上段扉体６が水平軸６ａを支点として上段扉体６の重量によって回転する際に、水平軸６ａと同じ軸芯位置に設置したスプロケット１３ａが回転することでチェーン１２を介して行われる。
【００２８】
上段扉体６及び下段扉体７が開放状態から閉じる場合の連動手段は、上段扉体６の重量によって上段扉体６が水平軸６ａを支点として回転するものに限らない。
【００２９】
例えば、図４（ａ）に示すように、開放位置の下段扉体７の水平軸７ａにトルクアーム１４を鉛直方向に起立する状態となるように取付け、このトルクアーム１４にカウンタウエイト１５を設置したものでも良い。この場合、上段扉体６の回転によるスプロケット１３ａの回転をカウンタウエイト１５が補助して、空調ダクト３の閉塞がより速やかに行えるようになる。
【００３０】
また、図４（ｂ）に示すように、下段扉体７の水平軸７ａの下流側に設置したスプロケット１３ｄをモータ１６によって正逆回転するようにしたものでも良い。
【００３１】
１７は、上段扉体６及び下段扉体７を、常時は空調ダクト３の内部を開放した状態に保持する保持装置である。
【００３２】
この保持装置１７は、上段扉体６及び下段扉体７を空調ダクト３の内部を開放した状態に保持できるものであれば、機械的に保持するもの、磁力により保持するもの等、その構成は限定されない。但し、メンテナンス性を考慮した場合、空調ダクト３の外側に設置することが望ましい。
【００３３】
空調ダクト３の外側に設置する保持装置１７で、下段扉体７を保持する場合は、例えば図５（ａ）に示すように、下段扉体７を駆動するウエイトを兼ねさせた前記トルクアーム１４を保持するようにすれば良い。
【００３４】
また、上段扉体６を保持する場合は、例えば図５（ｂ）に示すように、開放位置の上段扉体６の水平軸６ａに、上段扉体６と平行状態となるように、上段扉体６を駆動するウエイトを兼ねさせたトルクアーム１８を設置し、このトルクアーム１８を保持するようにすれば良い。
【００３５】
また、上段扉体６及び下段扉体７が開放状態から閉じる場合の連動を前記モータ１６により行う場合は、このモータ１６の回転を抑制するブレーキを、保持装置１７としてもよい。
【００３６】
１９は、前記空調ダクト３の内部の、前記扉体６，７による閉塞位置よりも上流側に設置されて空調ダクト３の内部への浸水を感知する浸水検知装置であり、浸水を感知した時には、前記上段扉体６と下段扉体７の開放した状態の保持を解除する（図１参照）。
【００３７】
前記浸水検知装置１９としては、フロート式、電気式（例えば電気容量式）、電磁式、超音波式などを採用すればよい。
【００３８】
このうち、フロート式の浸水検知装置１９は、浸水により受けた浮力を前記保持装置１７に伝達し、機械的に保持装置１７による保持を解除するように構成したものである。このフロート式の浸水検知装置１９は、機械的に保持する保持装置１７の場合に採用する。
【００３９】
また、電気容量式の浸水検知装置１９は、電極間に水が浸入したことによる電気容量の変化を検知した時に、前記保持装置１７に電気信号を送って電気的に保持装置１７による保持を解除するように構成したものである。
【００４０】
また、電磁式の浸水検知装置１９は、電極間に水が浸入したことによる磁界の変化を検知した時に、前記保持装置１７に電気信号を送って電気的に保持装置１７による保持を解除するように構成したものである。
【００４１】
また、超音波式の浸水検知装置１９は、水面で反射する超音波を照射して浸水の有無を検知し、浸水を検知した時に、前記保持装置１７に電気信号を送って電気的に保持装置１７による保持を解除するように構成したものである。
【００４２】
これら電気式、電磁式、及び超音波式の浸水検知装置１９は、磁力により保持する保持装置１７の場合に採用する。なお、磁力により保持する保持装置１７には、磁力によって回転するモータの回転を抑制するブレーキも含む。
【００４３】
上段扉体６及び下段扉体７の開閉動作の連動をチェーン１２により行う場合、図６（ａ）に示すように、チェーン１２の途中にターンバックル２０を介在させれば、チェーン１２の張力を調整することができる。また、ターンバックル２０に代えて、図６（ｂ）に示すように、チェーン１２の途中にテンショナー２１を配置して張力を調整しても良い。
【００４４】
また、例えば図７に示すように、下段扉体７の水平軸７ａに取付けたトルクアーム１４に、基端側を回転自在に支持したダンパー２２の先端部を回転自在に取り付ければ、扉体６，７が閉じる際の衝撃を抑制することができる。
【００４５】
本発明の管路止水装置１は上記した構成であり、平常時は、図２（ａ）（ｂ）の紙面左側に示すように、導入ダクト３を流れる新鮮な空気は重要機器室４に導入される。上記構成の場合、仮に建物２が振動した時にも、保持装置１７の作用によって扉体６，７が閉じて導入ダクト３の内部を閉塞することがない。
【００４６】
一方、非常時、海水が導入ダクト３の内部に浸入してきた時には、当該海水の浸入を図１に示した浸水検知装置１９で検知し、保持装置１７に上段扉体６の保持を解除する信号を送る。上段扉体６の保持が解除されると、上段扉体６と下段扉体７が連動して閉じ、図２（ａ）（ｂ）の紙面右側に示すように、導入ダクト３の内部を閉塞する。
【００４７】
導入ダクト３の内部を閉塞した上段扉体６に設置したスキンプレート８と下段扉体７は、空調ダクト３の内部に侵入した海水による水圧が作用し、水密ゴム１１に押付けられる。
【００４８】
上記本発明の管路止水装置１では、既設の空調ダクト３の一部を置き換えるだけで浸水対策を行うことができるので、浸水の回避が絶対に必要な重要箇所に対象を絞った効果的な対策を行うことができる。
【００４９】
また、本発明の管路止水装置１は、小型化及び軽量化が可能であるため、利用範囲が広くなる。
【００５０】
本発明は、前記の例に限るものではなく、各請求項に記載の技術的思想の範疇であれば、適宜実施の形態を変更しても良いことは言うまでもない。
【００５１】
例えば上記実施例では、導入ダクトに本発明の管路止水装置１を取付けたものについて説明しているが、排気ダクトに取付けても良い。
【００５２】
また、図７の実施例では、下段扉体７にダンパー２２を付加した例について説明したが、上段扉体６にダンパー２２を付加しても良い。また、上段扉体６及び下段扉体７の開閉動作の連動をチェーン１２により行うものを示したが、ベルトを用いて連動させても良い。この場合は、張力の調整はテンショナーによって行う。また、上段扉体６及び下段扉体７が閉じる際の衝撃抑制をダンパー２２に代えてエアーシリンダで行うものでも良い。
【００５３】
また、浸水検知装置１９としては、下段扉体７自体に容積を与えて、下段扉体７が浸水による浮力によって浮上することで浸水を検知するものでもよい。この場合、下段扉体７の水平軸７ａと同軸のトルクアーム１４に下段扉体７の浮上を伝達し、そのモーメントによって保持装置１７による保持を解除する。
【符号の説明】
【００５４】
１    管路止水装置
２    建物
３    導入ダクト
４    重要機器室
６    上段扉体
６ａ    水平軸
７    下段扉体
７ａ    水平軸
８    スキンプレート
９    軸受部
９ａ    長孔
１０    戸当り
１０ａ    開口
１１    水密ゴム
１２    チェーン
１５    カウンタウエイト
１６    モータ
１７    保持装置
１９    浸水検知装置
２０    ターンバックル
２１    テンショナー
２２    ダンパー
【図１】
2015218952.tif 000003
【図２】
2015218952.tif 000004
【図３】
2015218952.tif 000005
【図４】
2015218952.tif 000006
【図５】
2015218952.tif 000007
【図６】
2015218952.tif 000008
【図７】
2015218952.tif 000009